(57)【要約】【課題】高度な技術を必要とする症例でも繰り返し練習することが可能な歯科実習用模型を提供する。【解決手段】口腔内の疾患の状態を模した疾患パーツが２以上連接した構造を有し、このような各種疾患を模した疾患パーツとしては、埋伏歯とその周辺組織を模したもの（埋伏歯抜歯実習用模型）、根尖に病巣をもつ歯とその周辺組織を模したもの（根尖病巣摘出実習用模型）、歯肉部の膿瘍とその周辺組織を模したもの（排膿実習用模型）、歯が失われた後の上顎の歯槽骨を模したもの（サイナスリフト・ソケットリフト実習用模型）が挙げられる。この際、２以上の上記疾患パーツは、直線上に配置されてもリング状に配置されても良い。【選択図】図１
0003182224.tif 000002
【実用新案登録請求の範囲】
【請求項１】
口腔内の疾患の状態を模した疾患パーツが２以上連接されてなることを特徴とする歯科実習用模型。
【請求項２】
前記疾患パーツが、埋伏歯とその周辺組織を模したもの、根尖に病巣をもつ歯とその周辺組織を模したもの、歯肉部の膿瘍とその周辺組織を模したもの、歯が失われた後の上顎の歯槽骨を模したもの、のいずれかであることを特徴とする請求項１に記載の歯科実習用模型。
【請求項３】
前記疾患パーツが、埋伏歯とそれに隣接する歯及びその周辺組織を模したものであって、前記埋伏歯が、歯槽骨を模した骨部材に傾斜埋伏状態又は水平埋伏状態に配置されていること、及び、当該埋伏歯が、前記骨部材を削除することにより引き抜き可能、あるいは、前記埋伏歯の歯冠及び歯根を分割することにより摘出可能であることを特徴とする請求項１に記載の歯科実習用模型。
【請求項４】
前記の疾患パーツが、根尖に病巣をもつ歯とその周辺組織を模したものであって、歯槽骨を模した骨部材に植立された人工歯の根尖部分には、根尖病巣を模した病巣部材が配置されており、当該病巣部材が、前記骨部材を削除、あるいは、前記人工歯の歯根端を切除することにより摘出可能であることを特徴とする請求項１に記載の歯科実習用模型。
【請求項５】
前記の疾患パーツが、歯肉部の膿瘍とその周辺組織を模したものであって、歯槽骨を模した骨部材の側面の一部又は全部が、歯肉を模した歯肉部材によって覆われており、前記歯肉部材からなる歯肉部には、膿瘍を模した膿瘍部材として、内部に液体が充填された袋体が配置されており、前記液体が、前記膿瘍部材が配置された位置の歯肉部を切開、あるいは、当該位置にドレーンを挿入することによって排出可能であることを特徴とする請求項１に記載の歯科実習用模型。
【請求項６】
前記の疾患パーツが、歯が失われた後の上顎の歯槽骨を模したものであって、前記歯槽骨を模した骨部材には、上顎洞を模した空洞部が形成されており、前記空洞部の内壁面には、上顎洞粘膜を模した被膜部材が剥離可能な状態で貼着されていることを特徴とする請求項１に記載の歯科実習用模型。
【考案の詳細な説明】
【技術分野】
【０００１】
本考案は、口腔内の疾患部位についての歯科治療実習を繰り返し行うことが可能な構造を有した歯科実習用模型に関する。
【背景技術】
【０００２】
これまでに、歯科実習の種類に応じて数多くの実習用装置が提案されてきている。例えば下記の特許文献１には、窩洞形成実習にて使用される顎模型が開示されており、又、下記の特許文献２には、インプラント法による穿孔実習に適した顎模型が開示されている。
しかしながら、これらの歯科実習用模型の場合、１つの模型で行える実習が各症例につき１回に限られるために、高度な技術を必要とする練習を何回も繰り返して実施することができないという問題があった。
【先行技術文献】
【特許文献】
【０００３】
【特許文献１】特開平５−２７６７５号公報
【特許文献２】実開平６−２５８６１号公報
【考案の概要】
【考案が解決しようとする課題】
【０００４】
本考案は、上記問題を鑑みてなされたものであり、口腔内の疾患部位についての歯科治療実習を繰り返し行うことが可能な模型を提供することを目的とする。
【課題を解決するための手段】
【０００５】
本考案に係わる歯科実習用模型は、口腔内の疾患の状態を模した疾患パーツが２以上連接されてなることを特徴とし、複数の疾患部位の疾患パーツが連接（連結）された構造であることにより、１つの模型で複数回の治療実習が行えるようになっている。
【０００６】
又、本考案は、上記の特徴を有した歯科実習用模型において、前記疾患パーツが、埋伏歯とその周辺組織を模したもの、根尖に病巣をもつ歯とその周辺組織を模したもの、歯肉部の膿瘍とその周辺組織を模したもの、歯が失われた後の上顎の歯槽骨を模したもの、のいずれかであることを特徴とするものであり、このような疾患パーツはそれぞれ、埋伏歯抜歯実習、根尖病巣摘出実習、排膿実習、サイナスリフト・ソケットリフト実習に適している。
【０００７】
埋伏歯抜歯実習に適した本考案の歯科実習用模型は、前記疾患パーツが、埋伏歯とそれに隣接する歯及びその周辺組織を模したものであって、前記埋伏歯が、歯槽骨を模した骨部材に傾斜埋伏状態又は水平埋伏状態に配置されていること、及び、当該埋伏歯が、前記骨部材を削除することにより引き抜き可能、あるいは、前記埋伏歯の歯冠及び歯根を分割することにより摘出可能であることを特徴とする。
【０００８】
又、根尖病巣摘出実習に適した本考案の歯科実習用模型は、前記の疾患パーツが、根尖に病巣をもつ歯とその周辺組織を模したものであって、歯槽骨を模した骨部材に植立された人工歯の根尖部分には、根尖病巣を模した病巣部材が配置されており、当該病巣部材が、前記骨部材を削除、あるいは、前記人工歯の歯根端を切除することにより摘出可能であることを特徴とする。
【０００９】
又、排膿実習に適した本考案の歯科実習用模型は、前記の疾患パーツが、歯肉部の膿瘍とその周辺組織を模したものであって、歯槽骨を模した骨部材の側面の一部又は全部が、歯肉を模した歯肉部材によって覆われており、前記歯肉部材からなる歯肉部には、膿瘍を模した膿瘍部材として、内部に液体が充填された袋体が配置されており、前記液体が、前記膿瘍部材が配置された位置の歯肉部を切開、あるいは、当該位置にドレーンを挿入することによって排出可能であることを特徴とする。
【００１０】
又、サイナスリフト・ソケットリフト実習に適した本考案の歯科実習用模型は、前記の疾患パーツが、歯が失われた後の上顎の歯槽骨を模したものであって、前記歯槽骨を模した骨部材には、上顎洞を模した空洞部が形成されており、前記空洞部の内壁面には、上顎洞粘膜を模した被膜部材が剥離可能な状態で貼着されていることを特徴とする。
【００１１】
本考案の歯科実習用模型は、２以上の疾患パーツが直線上に配置されることによって棒状となった構造であっても、ドーナツ状に配置された構造であっても良く、連接された際の外観が限定されるものではない。又、本考案の歯科実習用模型は、複数の同じ治療部位の疾患パーツが連接された構造であるのが一般的であるが、これに限定されるものではなく、治療部位の異なる疾患パーツが連接された構造であっても良く、同じ症状を模した疾患パーツが連接された構造以外に、治療の難易度が異なる疾患パーツ（例えば、症状が徐々に進行していく過程を模した複数の疾患パーツ）が連接された構造であっても良い。本考案では、治療の難易度が異なる疾患パーツが連接された構造とすることによって、口腔内の状況に応じた術式を用いた治療実習を行うことができる。
【考案の効果】
【００１２】
本考案の歯科実習用模型を用いることにより、高度な技術を必要とする症例であっても繰り返し練習することができる。
【図面の簡単な説明】
【００１３】
【図１】埋伏歯の抜歯実習に適した構造を有する本考案の歯科実習用模型（埋伏歯抜歯模型）の好ましい一例における外観を示す写真である。
【図２】根尖病巣に対する実習に適した構造を有する本考案の歯科実習用模型（根尖病巣模型）の好ましい一例における外観を示す写真である。
【図３】膿瘍に対する実習に適した構造を有する本考案の歯科実習用模型（膿瘍模型）の好ましい一例における外観を示す写真である。
【図４】サイナスリフト・ソケットリフト実習に適した構造を有する本考案の歯科実習用模型（サイナスリフト・ソケットリフト模型）の好ましい一例における外観を示す写真である。
【考案を実施するための形態】
【００１４】
以下、本考案の歯科実習用模型の好ましい一例を図面を示し、本考案を説明する。
図１には、埋伏歯の抜歯実習に適した構造を有する本考案の歯科実習用模型の好ましい一例における外観が示されており、側面から見た時の写真が下側に示され、上方から見た時の写真が上側に示されている。
図１の歯科実習用模型においては、埋伏歯１とそれに隣接する歯２及びその周辺組織を模した疾患パーツＡが５個直線上に配列されて連接されており、各疾患パーツＡにおいて、埋伏歯（智歯）１は、歯槽骨を模した骨部材３に傾斜埋伏状態に配置され、隣接する歯２は正常な状態で植立されている。そして、この埋伏歯１は、骨部材３を切削して削除することにより引き抜き可能であるか、あるいは、埋伏歯１の歯冠及び歯根を分割することにより摘出可能になっている。
【００１５】
図１の歯科実習用模型は、傾斜埋伏状態の智歯（親知らず）の抜歯を想定した骨削除や歯冠・歯根分割、摘出実習に適した構造を有しており、疾患パーツＡが５個連接されているので、埋伏歯の抜歯実習を５回行うことができる。
尚、この歯科実習用模型の骨部材３は、実際の歯槽骨と同様の硬度を有した材質（例えばエポキシ樹脂等）により構成されていることが好ましく、この骨部材３に埋伏される埋伏歯１も天然歯と同様の硬度を有していることが好ましい。又、実際の口腔内の状態を再現するために、着色されたシリコン樹脂製の歯肉部材によって骨部材３の表面の一部又は全部が覆われた構造としても良い。この際、埋伏歯は、前記歯肉部材によって完全に覆われていなくてもよく、一部が歯肉部材から露出していてもよい。
【００１６】
図２には、根尖病巣の摘出実習に適した構造を有する本考案の歯科実習用模型の好ましい一例における外観が示されており、歯列を外側（頬側）から見た時の写真が下側に示され、歯列を内側から見た時の写真が上側に示されている。
図２の歯科実習用模型においては、根尖に病巣をもつ歯とその周辺組織を模した疾患パーツＡが５個直線上に並んで連接されており、各疾患パーツＡの、歯槽骨を模した骨部材３に植立された人工歯４（図２では、３本の人工歯のうち真ん中の人工歯）の根尖部分に、根尖病巣を模した病巣部材５が配置されている。この病巣部材５は、実習の際に骨部材３を切削・削除するか、あるいは、人工歯４の歯根端を切除することで摘出可能になっている。
【００１７】
図２の歯科実習用模型は、根尖病巣を想定した骨の削除や、歯根端の切除、病巣摘出実習に適した構造を有しており、疾患パーツＡが５個連接されているので、根尖病巣に対する実習を５回行うことができる。
尚、この歯科実習用模型の骨部材３は、実際の歯槽骨と同様の硬度を有した材質（例えばエポキシ樹脂等）により構成されていることが好ましく、この骨部材３に植立される人工歯４も天然歯と同様の硬度を有していることが好ましい。又、人工歯４の根尖部分に配置される病巣部材５としては、着色されたシリコン樹脂製の成形体が好ましい。又、実際の口腔内の状態を再現するために、着色されたシリコン樹脂製の歯肉部材によって骨部材３の表面の一部又は全部が覆われた構造としても良い。
【００１８】
図３には、歯肉部の膿瘍を想定した膿汁の排膿やドレーン挿入実習に適した構造を有する本考案の歯科実習用模型の好ましい一例における外観が示されており、側面から見た時の写真が下側に示され、上方から見た時の写真が上側に示されている。
図３の歯科実習用模型においては、歯肉部の膿瘍とその周辺組織を模した６個の疾患パーツＡが３×２列で配列され一体化しており、５本の歯牙が並んで植立した各疾患パーツＡにおける、歯槽骨を模した骨部材３の側面は、歯肉を模した歯肉部材６によって覆われており、歯肉部材６からなる歯肉部には、膿瘍を模した膿瘍部材７として、内部に液体（例えばオイル）が充填された袋体が配置されている。この図３に例示した模型の場合には、骨部材３と５本の人工歯が、合成樹脂（例えばエポキシ樹脂等）にて一体成形されており、膿瘍部材７が埋設されることにより外側に膨らんだ歯肉の状態が表された歯肉部材６が、着色されたシリコン樹脂によって成形され、頬側に設けられている。
【００１９】
尚、図３の模型においては、歯肉部に埋設された膿瘍部材７の大きさが、中央及び右側に位置する疾患パーツの膿瘍部材の方が、左側に位置する疾患パーツの膿瘍部材よりも大きくなっており、本考案では、口腔内の様々な状態を再現することが可能である。膿瘍部材の大きさを変えるには、袋体の大きさ及びその内部に充填される液体の量を調整すればよい。
この図３の模型の場合、膿汁を排膿させる実習を６回行うことができ、実習を行う際、膿瘍部材７が配置された位置の歯肉部を切開するか、あるいは、当該位置にドレーン（膿汁を排膿するための誘導管）を挿入して膿瘍部材７に充填された液体を排出させる。
【００２０】
図４には、サイナスリフト・ソケットリフト実習に適した構造を有する本考案の歯科実習用模型の好ましい一例における外観が示されており、側面から見た時の写真が下側に示され、上顎洞を上方から見た時の写真が上側に示されている。
図４の歯科実習用模型においては、歯が失われた後の上顎の歯槽骨を模した疾患パーツＡが４個直線上に配列されて連接されており、各疾患パーツＡにおける歯槽骨を模した骨部材８には、上顎洞を模した空洞部９が形成されており、空洞部９の内壁面は、上顎洞粘膜（シュナイダー膜）を模した被膜部材１０によって覆われ、この被膜部材１０は骨部材８から剥離可能になっている。本考案における骨部材８の材質としては、発泡ウレタン樹脂が好ましく、被膜部材１０の材質としてはシリコン樹脂が好ましく、膜厚みとしては０．１〜１ｍｍが好ましい。
【００２１】
この図４の模型を用いて、インプラント治療におけるサイナスリフト・ソケットリフト実習を行う際には、インプラントの挿入する位置の骨部材８に、空洞部と反対側から穴をあけ、空洞部９の内壁面に配置された被膜部材（擬似シュナイダー膜）１０を骨部材８から剥離して上方へ引き上げ、これによって生じた空隙に白砂を充填して、上顎洞底部の位置を上げ、インプラントを挿入できるだけの骨の厚みを確保する。尚、施術を行う箇所の骨部材の外壁面を歯肉部材で被覆し、歯肉を切開してから骨に穴を開ける実習ができるようにしてもよい。
図４の歯科実習用模型は、このようなサイナスリフト・ソケットリフト実習に適した構造を有しており、疾患パーツＡが４個連接されているので、サイナスリフト・ソケットリフト実習を４回行うことができる。
【００２２】
以上、本考案の歯科実習用模型を図面を参照して説明してきたが、具体的な構成は、これらの実施形態に限定されるものではなく、本考案の要旨を逸脱しない範囲の設計変更などがあっても良い。
本考案の歯科実習用模型を用いて行われる歯科実習としては、例えば、インプラント実習（インプラント埋入、オステオトーム法、減張切開、ＧＢＲ、上部構造作製、切開、全層弁、即時埋入、ドリリング、部分層弁、縫合、ボーンクラフト、ラテラルウィンドウ、リッジエキスパンション）、ＳＲＰ実習（エキスプロービング、ＳＲＰ）、エンド実習（根管拡大、根管充填、根管長測定、歯根端切除、歯髄切断、髄室開拡、抜髄）、形成実習（窩洞形成、歯台歯形成、歯台築造、ポストコア形成、レスト形成）、外科実習（骨整形術、骨膜剥離、歯牙結紮・顎間固定、縫合）、口腔外科実習（骨隆起除去、切開、切開・粘膜剥離、切開・剥離、切開・縫合、膿症切開）、歯周外科（歯根切断、歯肉切除術、小帯切除・切離術、組織再生誘導法、トンネリング、ファーケーションプラスティー、フラップ手術、ポケット掻爬術、遊離歯肉移植術）、修復実習（充填材料の填塞、軟化象牙質の除去、予防填塞、レジン填塞）、小児実習（生活歯髄切断）、抜歯（再植固定、暫間固定、難抜歯、普通抜歯、埋伏歯の抜歯）、保隙装置実習（可撤性保隙装置の製作、クラウンループの製作、保隙装置の製作）、補綴物実習（最終補綴物製作、暫間補綴物製作、修復物の製作、補綴物製作、ラミネートベニア形成）、麻酔実習（浸潤麻酔、麻酔）等が挙げられる。
【実施例】
【００２３】
実施例１：図１に示される歯科実習用模型（埋伏歯抜歯模型）の製造例
市販の熱硬化性エポキシ樹脂（新日鉄住金化学社製）を所定の陰型に流し込むことにより、智歯及びそれに隣接する臼歯が植立される位置にそれぞれ歯牙穴部を有する歯槽骨の形状を模した骨部材が５個連接して一体化した棒状の成形体（図１に示される形状を有する骨部）を作製した。一方、この成形体に植立される歯牙として、同じ熱硬化性エポキシ樹脂を用い、智歯及びそれに隣接する臼歯をそれぞれ作製した。
そして、上記成形体の５つの疾患パーツにおける各歯牙穴部に、接着剤を用いて、智歯を骨部材に傾斜埋伏状態に配置して接着し、隣接する歯を正常な状態で植立して接着し、図１に示される外観の歯科実習用模型（埋伏歯抜歯模型）を製造した。更に、実際の口腔内の状態を再現するために、市販のシリコン樹脂（信越社製のシリコンゴム）を着色して用いて、口腔内の歯肉部を模した歯肉部材を作製し、骨部材及び埋伏歯の表面を覆うようにして配置し、接着固定した。
この歯科実習用模型は、埋伏歯が配置された位置の歯肉部材を切開し、エポキシ樹脂製の骨部材を切削・削除して、骨部材に埋伏された埋伏歯を引き抜く実習に適しており、埋伏歯の歯冠及び歯根を分割して摘出する実習にも適したものであり、このような実習を５回実施することができた。
【００２４】
実施例２：図２に示される歯科実習用模型（根尖病巣模型）の製造例
実施例１と同じ熱硬化性エポキシ樹脂を所定の陰型に流し込むことにより、３本の歯牙が植立される位置にそれぞれ歯牙穴部を有する歯槽骨の形状を模した疾患パーツが５つ連接された成形体（図２に示される形状を有する骨部）を作製した。この際、中央に位置する歯牙穴部の根尖部分には、根尖病巣を模した病巣部材が配置できるように空洞を設けた。一方、この成形体に植立される人工歯を、実施例１と同じ熱硬化性エポキシ樹脂を用いて作製し、実施例１と同じ着色されたシリコン樹脂を所定の型に注入して硬化させることにより小球状の病巣部材を作製した。
そして、上記成形体の各疾患パーツの中央にある歯牙穴部の根尖部分に設けた空洞に上記の病巣部材を配置し、その上方位置に上記人工歯を差し込み、接着剤で固定した。又、この人工歯を挟むようにして両側に配置される人工歯についても接着剤で固定し、図２に示される外観の歯科実習用模型（根尖病巣模型）を製造した。更に、実際の口腔内の状態を再現するために、実施例１と同じ市販のシリコン樹脂を着色して口腔内の歯肉部を模した歯肉部材を作製し、骨部材の表面を覆うようにして配置し、接着固定した。
この歯科実習用模型は、歯肉部材を切開し、その下側にある根尖病巣部近傍の骨部材を切削・削除することにより病巣部材を摘出するか、あるいは、人工歯の歯根端を切除することにより病巣部材を摘出する実習に適したものであり、このような実習を５回実施することができた。
【００２５】
実施例３：図３に示される歯科実習用模型（膿瘍模型）の製造例
実施例１と同じ熱硬化性エポキシ樹脂を所定の陰型に流し込むことにより、５本の人工歯が植立した歯槽骨の形状を模した骨部材が６個（３×２列）連接して一体化された成形体（図３に示される形状を有する骨部）を作製した。この際、上記骨部材の頬側には膿瘍部材を配置させるための凹み部を設けた。
一方、膿瘍部材として、歯肉部の膿瘍の膨らみに相当する量のオイルが内部に充填されたプラスチックフィルム製の袋体６個を作製し、この膿瘍部材が埋設されるようにして、実施例１と同じ市販のシリコン樹脂を着色して、膿瘍により外側に膨らんだ歯肉の状態が表された頬側の歯肉部を模した歯肉部材を６個作製した。
そして、各骨部材に設けた凹み部内に上記膿瘍部材が配置されるようにして上記歯肉部材を骨部材の頬側に配置して固定し、図３に示される外観の本考案の歯科実習用模型（膿瘍模型）を作製した。
この歯科実習用模型は、膿瘍部材が配置された位置の歯肉部を切開したり、当該位置にドレーンを挿入することによって、膿瘍部材の内部に充填された液体を排出し、歯肉部材を縫合する実習に適したものであり、このような実習を６回実施することができ、歯肉部材を交換することによって繰り返し使用することができた。
【００２６】
実施例４：図４に示される歯科実習用模型（サイナスリフト・ソケットリフト模型）の製造例
市販の発泡ウレタン樹脂（東洋ゴム工業社製）を所定の陰型に流し込み、発泡・硬化させ、上顎洞を模した空洞部が形成され、歯が失われた後の上顎の歯槽骨を模した骨部材が４個直線上に配列されて連接した成形体（図４に示される形状を有する骨部）を作製した。
そして、この骨部材の空洞部に市販のシリコン樹脂製膜（信越社製、膜厚み０．２ｍｍ）を貼り付け、空洞部の内壁面が、シュナイダー膜を模した被膜部材（シリコン樹脂製膜）によって覆われた構造を有する図４に示される外観の歯科実習用模型（サイナスリフト・ソケットリフト模型）を作製した。更に、実際の口腔内の状態を再現するために、実施例１と同じ市販のシリコン樹脂を着色して口腔内の歯肉部を模した歯肉部材を作製し、骨部材の外壁表面を覆うようにして配置し、接着固定した。
この歯科実習用模型は、インプラントを挿入する位置の骨部材に穴をあけ、空洞部の内壁面に配置された被膜部材を骨部材から剥離して上方へ引き上げ、これによって生じた空隙に骨補填材を充填し、インプラントを埋入するサイナスリフト・ソケットリフト実習に適したものであり、このような実習を４回実施することができた。
【００２７】
実施例５：歯周疾患反復実習用模型の製造例
実施例１と同じ熱硬化性エポキシ樹脂を所定の陰型に流し込むことにより、歯牙が植立される位置にそれぞれ歯牙穴部を有する歯槽骨の形状を模した骨部材が５個連接して一体化した成形体を作製した。この際、骨部材は、歯周疾患の症例に応じた形状とした。
一方、同じ熱硬化性エポキシ樹脂を用いて人工歯を作製した後、歯肉との境界部付近に人工歯石を付与し、各歯牙穴部に接着剤を用いて植立固定した。そして、実際の口腔内の状態を再現するために、実施例１と同じ市販のシリコン樹脂を着色して口腔内の歯肉部を模した歯肉部材を作製し、骨部材の表面を覆うようにして配置し、接着固定した。
この歯科実習用模型は、ルートプレーニング、スケーリングし、歯石を除去する歯周外科の術式（切開縫合、骨修正、歯肉採取など）の実習に適したものであり、このような実習を５回実施することができた。
【産業上の利用可能性】
【００２８】
本考案の歯科実習用模型は、口腔内の疾患の状態を模した疾患パーツが２以上連接されてなる構造であるので、高度な技術を要する治療実習であっても複数回実施することができ、実習者のスキルアップを図るのに非常に有用である。又、この模型は、比較的簡単な構造であるために安価で製造することが可能であり、量産化にも適している。
【符号の説明】
【００２９】
Ａ  疾患パーツ
１  埋伏歯
２  埋伏歯に隣接する歯
３  骨部材
４  人工歯
５  病巣部材
６  歯肉部材
７  膿瘍部材
８  骨部材
９  空洞部
１０  被膜部材
【図１】
0003182224.tif 000003
【図２】
0003182224.tif 000004
【図３】
0003182224.tif 000005
【図４】
0003182224.tif 000006